(57)【特許請求の範囲】
【請求項１】
当該装置の動作状態を通常モードとこれより省電力状態のスリープモードとの間で切換制御する省電力制御部と、
前記通常モードと前記スリープモード間の切換操作を外部から受け付けるスリープキーと、
少なくとも前記スリープキーへの操作を検出し、これに基づき前記通常モードと前記スリープモードとの間で前記省電力制御部を切換え動作させる第１の検出部と、
操作パネル部に配置された前記スリープキー以外の複数の操作キーと、
前記省電力制御部からスリープ状態を示すスリープ信号を加えるスリープ信号ラインが接続され、前記スリープモード状態下で何れかの前記操作キーへの操作を検出する第２の検出部と、
前記スリープ信号ライン中に挿入され、前記操作パネル部に配置されたキーによって前記スリープ信号の前記第２の検出部への出力を断続制御するスイッチと、
を具備し、
前記第１の検出部は、前記スリープモード状態下で前記操作キーへの操作を前記第２の検出部が検出したとき、前記スリープキーへの操作と同様の操作があったとして前記通常モードに前記省電力制御部を切換え動作させ、
前記第２の検出部は、スリープモード状態下において、前記操作キーの動作を確保するとともに前記操作キーへの操作を検出し、前記スリープ信号の入力状態において当該検出出力を前記第１の検出部へ出力させることを特徴とする省電力電源制御装置。
【請求項２】
前記省電力制御部は、前記第１の検出部から前記通常モードに切換え動作させる切換信号が複数回又は所定期間継続したとき、前記通常モードに切換制御する請求項１記載の省電力電源制御装置。
【請求項３】
請求項１又は２記載の省電力電源制御装置と、画像データを画像形成する画像形成部と、を具備する画像形成装置。
【発明の詳細な説明】
【技術分野】
【０００１】
本発明は省電力電源制御装置および画像形成装置に係り、例えば電子写真方式の複写機、ファクシミリ機、プリンタ又はこれらの機能を搭載した複合機（ＭＦＰ：Multi Function Peripheral）等の画像形成装置に搭載して好適する省電力電源制御装置および当該画像形成装置の改良に関する。
【背景技術】
【０００２】
この種の画像形成装置にあっては、一般に、原稿上の画像情報から画像データを光学的に読み取り、その画像データに基づきトナー像を形成して用紙に転写定着させて印刷する印刷（印字）機能の他、画像データをファクシミリ送受信するファクシミリ機能、その他種々の画像データ処理機能を有している。
【０００３】
近年、画像形成装置では、省エネルギー（省電力）仕様を目的として、起動に必要な構成にのみ電源を供給し、その他の構成には電源供給を遮断して電源電力の消費を低減する省電力モード（スリープモード又は節電モード）機能を搭載し、ユーザのスリープキーへの操作によってその省電力モードへ移行し、再度、スリープキーへの操作によって通常モードへ復帰するようになっており、ＣＰＵ（central processing unit）を有する省電力制御部によって省電力モードと通常モード間の移行制御を実行している。
【０００４】
従来、スリープモードと通常モード間の切換え操作入力構成は、例えば、図４に示すような構成になっていた。
【０００５】
すなわち、画像形成装置において、スリープモードおよび通常モードの双方において電源の供給を受けている省電力制御部１側からスリープ操作用ラインＬ１を引き出し、このスリープ操作用ラインＬ１とアース間にスリープキーＳＷ１を接続し、スリープキーＳＷ１を操作してスリープ操作用ラインＬ１をアースに接続する毎に、省電力制御部１に対して通常モードとスリープモード間で交互に切換え制御する構成である。
【０００６】
他方、画像形成装置にあって、当該装置自体の動作を操作する操作パネル部３を有しており、通常モード下では省電力制御部１側から操作パネル部３が駆動電源の供給を受け、操作パネルコントロール部５によってスリープキーＳＷ１以外の種々の操作キーＳＷ２（図４では１個のみ示す。）からの操作を一元的に受け付ける一方、スリープモード下では省電力制御部１から操作パネル部３が駆動電源の供給が遮断され、省電力状態を維持している。
【０００７】
通常モード下で、操作キーＳＷ２が操作されると、操作パネルコントロール部５のキー検出ラインＬ２からキー検出信号が操作キーＳＷ２、ダイオードＤ１およびトランジスタＱを経てアースに流れ、操作パネルコントロール部５によって操作キーＳＷ２の操作が検出される一方、操作パネルコントロール部５のＬＥＤラインＬ３からＬＥＤ信号が発光ダイオードＤ２およびトランジスタＱを経てアースに流れ、発光ダイオードＤ２が発光して操作キーＳＷ２の操作動作が視覚的に認識される。
【０００８】
なお、操作パネルコントロール部５からのスキャンラインＬ４は複数の操作キーＳＷ２を周期的に検出するためにトランジスタＱをスキャンしてオンするためのものであり、図中の符号Ｒ１〜Ｒ３は抵抗である。
【０００９】
ところで、省電力モードと通常モード間の移行制御に関する一般的な公知の特許文献としては、例えば特開２００２−１３５４８７号公報（特許文献１）のような原稿読取記録装置、および特開２００３−８７９０号公報（特許文献２）のような通信端末装置がある。
【先行技術文献】
【特許文献】
【００１０】
【特許文献１】特開２００２−１３５４８７号公報
【特許文献２】特開２００３−８７９０号公報
【発明の開示】
【発明が解決しようとする課題】
【００１１】
しかしながら、上述した従来の構成では、画像形成装置におけるスリープモード下で操作パネル部３への電源を遮断し、操作パネルコントロール部５に接続された操作キーＳＷ２への操作を受け付けることができないので、通常モードへ復帰させるには、スリープモード状態でも電源を遮断さない省電力制御部１に接続されたスリープキーＳＷ１を操作する構成となっている。
【００１２】
この構成では、スリープモードから通常モードへ復帰させる際に、解除キーとしてスリープキーＳＷ１を操作する場合でしか通常モードへ復帰させることが困難であり、一見すると便利なようであるが、ユーザにとって直感的な操作に難点があって不便であった。
【００１３】
本発明はそのような課題を解決するためになされたもので、スリープモードへの移行に専用キーのみで移行し、スリープモードから通常モードへの復帰させるには何れのキー操作も可能とし、ユーザの操作性を向上させ易い省電力電源制御装置および画像形成装置の提供を目的とする。
【課題を解決するための手段】
【００１４】
そのような課題を解決するために本発明の請求項１に係る省電力電源制御装置は、当該装置の動作状態を通常モードとこれより省電力状態のスリープモードとの間で切換制御する省電力制御部と、それら通常モードとスリープモード間の切換操作を外部から受け付けるスリープキーと、少なくともスリープキーへの操作を検出し、これに基づきそれら通常モードとスリープモードとの間で省電力制御部を切換え動作させる第１の検出部と、操作パネル部に配置されたスリープキー以外の複数の操作キーと、その省電力制御部からスリープ状態を示すスリープ信号を加えるスリープ信号ラインが接続され、そのスリープモード状態下で何れかの操作キーへの操作を検出する第２の検出部と、そのスリープ信号ライン中に挿入され、その操作パネル部に配置されたキーによってスリープ信号のその第２の検出部への出力を断続制御するスイッチとを具備し、上記第１の検出部が、そのスリープモード状態下で操作キーへの操作を第２の検出部が検出したとき、そのスリープキーへの操作と同様の操作があったとしてその通常モードに省電力制御部を切換え動作させる構成である。
【００１５】
本発明の請求項１に係る省電力電源制御装置では、上記第２の検出部が、スリープモード状態下においてその操作キーの動作を確保するとともに操作キーへの操作を検出する構成である。
【００１６】
本発明の請求項１に係る省電力電源制御装置では、上記第２の検出部が、省電力制御部側からのスリープモード状態を示すスリープ信号の入力状態において当該検出出力をその第１の検出部へ出力させる構成である。
【００１７】
本発明の請求項２に係る省電力電源制御装置では、上記省電力制御部が、その第１の検出部から通常モードに切換え動作させる切換信号が複数回又は所定期間継続したとき、その通常モードに切換制御する構成である。
【００１８】
本発明の請求項３に係る画像形成装置では、上記請求項１又は２記載の省電力電源制御装置と、画像データを画像形成する画像形成部とを具備している。
【発明の効果】
【００１９】
このような本発明の請求項１に係る省電力電源制御装置では、上記第１の検出部が、そのスリープモード状態下で操作キーへの操作を第２の検出部が検出したとき、そのスリープキーへの操作と同様の操作があったとして通常モードに省電力制御部を切換え動作させるから、スリープモードへの移行には専用のスリープキーのみで移行し、スリープモードから通常モードへの復帰させるには何れのキー操作も可能とし、ユーザの操作性を向上させ易い。
【００２０】
本発明の請求項１に係る省電力電源制御装置では、上記第２の検出部が、スリープモード状態下においてその操作キーの動作が確認されるから、スリープモードから通常モードへの復帰させるためのキー操作の確実な操作が確保され易い。
【００２１】
本発明の請求項１に係る省電力電源制御装置では、上記第２の検出部が、省電力制御部側からのスリープモード状態を示すスリープ信号の入力状態において操作キーへの操作を検出するから、省電力制御部側からスリープ信号を出力させないよう設定すれば、専用のスリープキーのみで通常モードへ復帰させることが可能である。
【００２２】
本発明の請求項２に係る省電力電源制御装置では、上記省電力制御部が、その第１の検出部から通常モードに切換え動作させる切換信号が複数回又は所定期間継続したとき、その通常モードに切換制御するから、操作キーへの誤操作に基づく通常モードへ復帰を回避させることが可能である。
【図面の簡単な説明】
【００２３】
【図１】本発明に係る省電力電源制御装置の実施の形態を示す概略ブロック図である。
【図２】画像形成装置の表示操作部を説明する図である。
【図３】本発明に係る省電力電源制御装置を含む画像形成装置の実施の形態を示す概略ブロック図である。
【図４】従来の省電力電源制御装置を示す概略ブロック図である。
【発明を実施するための最良の形態】
【００２４】
以下、本発明に係る省電力電源制御装置および画像形成装置の実施の形態を図面を参照して説明する。なお、従来例と共通する部分には同一の符号を付す。
【００２５】
図１において本発明の省電力電源制御装置Ａは、省電力制御部１および操作パネル部３を有して構成されている。
【００２６】
省電力制御部１は、スリープモードおよび通常モードの双方において電源の供給を受け、画像形成装置Ｂにあって、外部からの操作指示に基づき、この全ての構成要素に駆動電力を供給する通常モードと、起動に必要な構成にのみ電源を供給し、その他の構成には電源供給を遮断して電源電力の消費を低減するスリープモードとの間で交互に切換え制御する機能を有しており、ＣＰＵを主体としたメインコントローラ（ユニット）である。
【００２７】
省電力制御部１には、操作パネル部３から通常モードとスリープモード間を切換える切換信号を入力するためのスリープ操作用ラインＬ１が入力されており、更に、スリープモードではＬレベルに、通常モードではＨレベルになるスリープ信号が操作パネル部３に出力されるようになっている。
【００２８】
スリープ操作用ラインＬ１には後述する第１の検出部７の出力が接続されている。第１の検出部７は例えば２入力ＡＮＤゲートであり、一方の入力端が抵抗Ｒ４を介して、通常モードとスリープモードでともにオン状態である電源Ｖ１に接続されるとともに、２端子のオンオフ形スリープキーＳＷ１を介してアースに接続されている。
【００２９】
第１の検出部７の他方の入力端は、通常モード時にＨレベルになるよう抵抗Ｒ６により電源Ｖ１にプルアップされるとともに、後述する第２の検出部９の３ステートバッファ９ａに接続されている。
【００３０】
そのため、スリープキーＳＷ１の未操作の状態ではスリープキーＳＷ１の電源側がＨレベルになっており、第１の検出部７がスリープ操作用ラインＬ１をＨレベルにするから、省電力制御部１が画像像形成装置Ｂが通常モードに維持される。
【００３１】
スリープキーＳＷ１がオン、オフされると、スリープキーＳＷ１の電源側が一旦ＬレベルになってからＨレベルとなり、第１の検出部７がスリープ操作用ラインＬ１の切換信号を一旦ＬレベルになってからＨレベルにするから、省電力制御部１がこのトリガ信号を検知し画像像形成装置Ｂをスリープモードに切換制御し、スリープ信号を通常モードでのＨレベルからスリープモード状態のＬレベルに切り換える。
【００３２】
第２の検出部９を形成する３ステートバッファ９ａのゲートは、Ｌアクティブであり、スリープ信号に接続されている。
【００３３】
そのため、スリープモード時には、３ステートバッファ９ａの出力が入力により変化し、第１の検出部７の他方の入力端がＬレベルに変化すると、スリープキーＳＷ１が未操作の状態であっても、第１の検出部７がスリープ操作用ラインＬ１の切換信号をＬレベルにするから、後述するように省電力制御部１が画像像形成装置Ｂを通常モードに切換制御する。
【００３４】
操作パネル部３は、画像形成装置Ａにあって当該装置自体の動作、例えば、画像読取動作、印刷（印字）動作、ファクシミリ送受信動作、その他の画像処理動作等を操作する機能を有し、操作パネルコントロール部５、２端子のオンオフ形の複数の操作キーＳＷ２（図１では１個のみ示す。）、トランジスタＱ、保護用ダイオードＤ１および発光ダイオードＤ２に加えて、第２の検出部９を有して形成されている。図１中の符号Ｒ２〜Ｒ６は抵抗である。
【００３５】
操作パネルコントロール部５は、通常モードとスリープモードでともにオン状態である電源Ｖ１とは異なる電源（図示せず）から駆動電源の供給を受けており、通常モード下では、省電力制御部１側から操作パネル部３が駆動電源の供給を受けており、操作キーＳＷ２の操作を受け付け、スリープモード下では、駆動電源供給が遮断されている。
操作パネルコントロール部５は、キー検出ラインＬ２、ＬＥＤラインＬ３およびスキャンラインＬ４を有するとともに、複数の操作キーＳＷ２をスキャンしながらオン操作された操作キーＳＷ２に対応する動作を実行する機能を有している。
【００３６】
操作パネルコントロール部５のキー検出ラインＬ２は、省電力制御部１側電源Ｖ１から駆動電源の供給を受けており、操作キーＳＷ２およびダイオードＤ１を介してトランジスタＱのコレクタに接続されており、ＬＥＤラインＬ３も発光ダイオードＤ２を介してトランジスタＱのコレクタに接続されている。
【００３７】
操作パネルコントロール部５のスキャンラインＬ４は、電源Ｖ１から駆動電源の供給を受けており、第２の検出部９を形成する２入力ＮＡＮＤゲート９ｂの一方の入力端に接続されており、他方の入力端には省電力制御部１側からスリープ信号が接続されている。
【００３８】
ＮＡＮＤゲート９ｂの出力はトランジスタＱのゲートに接続されており、トランジスタＱのエミッタがアースに接続されている。
【００３９】
そのため、ＮＡＮＤゲート９ｂは、通常モード下で、他方の入力端（スリープ信号）がＨレベルに維持されるから、スキャンラインＬ４がＬレベルになったとき出力がＨレベルとなり、この状態で操作キーＳＷ２が操作されればトランジスタＱがＯＮ動作し、操作パネルコントロール部５のキー検出ラインＬ２がＬレベルとなってキー操作が検出される。
【００４０】
他方、ＮＡＮＤゲート９ｂは、スリープモード下で、他方の入力端（スリープ信号）がＬレベルに維持され、スキャンラインＬ４がＨレベルに維持されるから、出力がＨレベルとなり、この状態で操作キーＳＷ２が操作されればトランジスタＱがＯＮ動作し、キー検出ラインＬ２がＬレベルになってキー操作が検出される。
【００４１】
そして、操作パネル部３は、図２に示すような表示操作部１１を有している。
【００４２】
表示操作部１１は、後述する主制御部１３の制御の下、操作パネルコントロール部５によって種々の動作状態の表示が可能な表示部としての公知の液晶表示パネルと、装置の動作指示を受付ける操作キーＳＷ２としてのタッチスイッチ等の入力部としての機能を有している。
【００４３】
すなわち、表示操作部１１は、印刷（コピー）処理、プリンタ処理、スキャナ処理、ファクシミリ送受信処理等の種々の操作指示や選択をする選択キー１１ａの他、それらの操作に係る設定項目の設定変更を入力する公知の例えばテンキー１１ｂ、スタートキー１１ｃの他、装置の動作状況を表示する表示パネル部１１ｅ等を有している。
【００４４】
それら選択キー１１ａ、テンキー１１ｂおよびスタートキー１１ｃ等が操作キーＳＷ２に該当し、スリープキーＳＷ１は表示操作部１１から外れた位置に独立して配置されている。
【００４５】
図１に戻って、操作キーＳＷ２における駆動電源側は、第２の検出部９を形成する３ステートバッファ９ａの入力端に接続されている。
【００４６】
３ステートバッファ９ａは、省電力制御部１側から駆動電源の供給を受けるとともに、省電力制御部１からスリープ信号も加えられており、スリープ信号がＨレベル状態ではノンアクティブ（非動作状態）になり、その出力は電源によってＨレベルになる一方、スリープ信号がＬレベル状態ではアクティブ（動作状態）になり、操作キーＳＷ２からの入力がＬレベルであれば、その出力をＬレベルにする機能を有している。
【００４７】
次に、上述した本発明に係る省電力電源制御装置Ａの動作を簡単に説明する。
【００４８】
まず、通常モード下の動作を説明する。
【００４９】
この状態では、省電力制御部１および操作パネル部３に駆動電源が供給されており、スリープキーＳＷ１を操作すると、スリープキーＳＷ１の電源側がＬレベルになって第１の検出部７がスリープ操作用ラインＬ１の切換信号を一旦Ｌレベルにするから、省電力制御部１が画像像形成装置Ｂをスリープモードに切換制御し、操作パネル部３への駆動電源供給を遮断するとともに、第２の検出部９へのスリープ信号をＨレベルからＬレベルにする。なお、図１では操作パネルコントロール部５の電源のみが遮断される。
【００５０】
通常モード下では、操作パネル部３において、操作キーＳＷ２が操作されればトランジスタＱがＯＮ動作し、キー検出ラインＬ２がＬレベルになってその操作が操作パネルコントロール部５が検出する一方、第２の検出部９の３ステートバッファ９ａが動作しないので、３ステートバッファ９ａの出力がＨレベルのままであり、第１の検出部７の動作に変化はない。
【００５１】
続いて、スリープモード下の動作を説明する。
【００５２】
この状態では、省電力制御部１から操作パネル部３への駆動電源供給が遮断されているが、スリープキーＳＷ１を操作すれば、上述した通常モード下の動作と同様に操作を受付け、省電力制御部１が画像像形成装置Ｂを通常モードに切換制御し、操作パネル部３への駆動電源供給を再開するとともに、第２の検出部９へのスリープ信号をＬレベルからＨレベルにする。
【００５３】
スリープモード下でも、操作キーＳＷ２および第２の検出部９に駆動電源が供給されて動作確保されているから、操作パネル部３において操作キーＳＷ２を操作すると、ＮＡＮＤゲート９ｂの出力はＨレベルになっているからトランジスタＱがＯＮ動作し、キー検出ラインＬ２がＬレベルになってその変化が第２の検出部９の３ステートバッファ９ａで検出される。
【００５４】
３ステートバッファ９ａは、Ｌレベルのスリープ信号によってアクティブになっており、キー検出ラインＬ２、すなわち、操作キーＳＷ２両端のＬレベルに基づく入力によってバッファ９ａの出力がＬレベルに切換わる。
【００５５】
第１の検出部７では、スリープキーＳＷ１が未操作で一方の入力端がＨレベルであるから、バッファ９ａ出力がＬレベルに切換わると、スリープキーＳＷ１操作と同様に、省電力制御部１が画像像形成装置Ｂを通常モードに切換制御し、操作パネル部３への駆動電源供給を再開するとともに、Ｈレベルのスリープ信号を第２の検出部９へ出力する。
【００５６】
すなわち、第１の検出部７は、第２の検出部９の３ステートバッファ９ａ出力がＬレベルに切換わることにより、スリープキーＳＷ１への操作と同様の操作があったとして通常モードとスリープモードとの間で省電力制御部１を切換え動作する機能を有している。
【００５７】
次に、上述した省電力電源制御装置Ａを搭載した本発明の画像形成装置Ｂを図３を参照して説明する。
【００５８】
図３において、画像形成装置Ｂは、主制御部１３を中心にして画像取込部１５、記憶部１７、印刷部１９、上述した操作パネル部３、省電力制御部１等を有し、例えば複合機を構成している。なお、画像形成装置Ｂとしてはこれ以外にも種々の構成を有するが、本発明の要部ではないので説明および図示を省略する。
【００５９】
それら主制御部１３、画像取込部１５、記憶部１７、表示操作部１５および印刷部１９に対し、電源部２１から省電力制御部１を介して直流電源又は交流電源が供給される。
【００６０】
主制御部１３は、画像取込部１５、記憶部１７、印刷部１９および操作パネル部３を制御するものであるが、詳細は後述する。
【００６１】
画像取込部１５は、図示しない本体ケースの上部に配置され、主制御部１３の制御の下、原稿画像の表示された原稿用紙から当該紙面の画像状態を光学的に読み込み、フィルタ処理等をして電子的画像データを生成する公知のスキャナー等であり、生成した紙面画像データが原稿の頁毎に記憶部１７に順次記憶されるようになっている。
【００６２】
記憶部１７は、画像取込部１５からの画像データ、主制御部１３の動作プログラムおよび動作画面等を格納する読み書き可能な例えばハードディスク（ＨＤＤ）である。
【００６３】
操作パネル部３は、本体ケースの上部に配置され、上述した構成を有し、主制御部１３を介して表示操作部１１によって表示パネル部１１ｅが制御される。
【００６４】
印刷部１９は、本体ケース内に配置され、用紙のセットされる給紙段と、この給紙段から給紙し搬送された用紙に対し、上述した画像データを展開した印刷イメージデータに基づきトナー剤でトナー像を画像形成する画像形成部と、そのトナー像を用紙に転写定着させる転写定着部等を有し、モノクロ印刷又はカラー印刷排紙する機能を有している。
【００６５】
主制御部１３は、メインＣＰＵ、このＣＰＵの起動プログラムを格納したメモリ部、入出力インターフェース（いずれも図示せず。）を有し、上述した画像取込部１５、記憶部１７、印刷部１９および操作パネル部３を制御するとともにその一部を担っている。
【００６６】
電源部２１は、１００Ｖの商用交流電源から２４Ｖ、３．３Ｖ等の直流電源を生成する公知の例えばスイッチングレギュレータ、直流−直流コンバータ（図示せず。）であり、それら交流電源および直流電源を出力するものである。
【００６７】
このような本発明に係る省電力電源制御装置Ａは、当該装置の動作状態を通常モードとこれより省電力状態のスリープモードとの間で切換制御する省電力制御部１と、それら通常モードとスリープモード間の切換操作を外部から受け付けるスリープキーＳＷ１と、少なくともスリープキーＳＷ１への操作を検出し、これに基づきそれら通常モードとスリープモードとの間で省電力制御部１を切換え動作させる第１の検出部７と、そのスリープキーＳＷ１以外の複数の操作キーＳＷ２と、そのスリープモード状態下で何れかの操作キーＳＷ２への操作を検出する第２の検出部９とを具備し、その第１の検出部７が、そのスリープモード状態下で操作キーＳＷ２への操作を第２の検出部９が検出したとき、そのスリープキーＳＷ１への操作と同様の操作があったとして省電力制御部１を通常モードに切換え動作させる構成である。
【００６８】
そのため、スリープモードへの移行には専用のスリープキーＳＷ１のみで移行し、スリープモードから通常モードへの復帰させるには何れのキーＳＷ１、ＳＷ２による操作も可能とし、ユーザの操作性を向上させ易い。
【００６９】
また、第２の検出部９が、スリープモード状態下においてその操作キーＳＷ２の動作を確保するとともに操作キーＳＷ２への操作を検出するから、スリープモードから通常モードへの復帰させるためのキー操作の確実な操作が確保され易い。
【００７０】
さらに、第２の検出部９が、省電力制御部１側からのスリープモード状態を示すスリープ信号の入力状態において操作キーＳＷ２への操作を検出するから、省電力制御部１側からスリープ信号を出力させないよう設定すれば、専用のスリープキーＳＷ１のみで通常モードへ復帰させることが可能である。
【００７１】
具体的には、図１中において、省電力制御部１側からのスリープ信号ライン中にスイッチ（図示せず）を挿入し、例えば操作パネル部１１に配置した図示しないキーによってそのスイッチをオンオフ操作させたり、省電力制御部１に対する制御プログラムで設定することにより、スリープ信号出力の断続制御が可能である。
【００７２】
本発明に係る上述した構成では、省電力制御部１が、その第１の検出部７から省電力制御部１を切換え動作させる切換信号が１回だけでも入力されると、スリープモードから通常モードに切換制御するので、誤操作による通常モードへの復帰も考えられる。
【００７３】
特に、スリープキーＳＷ１以外の複数の操作キーＳＷ２による通常モードへの復帰操作が可能であるから、誤操作の頻度も高くなるかもしれない。
【００７４】
これに対応するため、省電力制御部１は、入力された切換信号が複数回又は所定期間継続したとき、それらスリープモードから通常モードに切換制御するよう形成すれば、操作キーへの誤操作に基づく通常モードへ復帰を回避させることが可能である。
【００７５】
本発明における第１の検出部７は、上述したようにＡＮＤゲートで形成する構成に限定されず任意であり、少なくともスリープキーＳＷ１への操作を検出し、これに基づき通常モードとスリープモードとの間で省電力制御部１を切換え動作させ、スリープモード状態下では、操作キーＳＷ２への操作を第２の検出部９が検出したとき、スリープキーＳＷ１への操作と同様の操作があったとして省電力制御部１を通常モードへ切換え動作させるものであればよい。
【００７６】
第２の検出部９についても、上述したようにバッファ９ａおよびＮＡＮＤゲート９ｂによる構成以外に任意であり、スリープモード状態下で何れかの操作キーＳＷ２への操作を検出する機能があればよい。
【００７７】
ところで、本発明に係る画像形成装置Ｂは、複写機、ファクシミリ機、複合機等において実施可能であり、上述した本発明の省電力電源制御装置Ａを搭載すれば、同様の効果を得ることが可能である。
【００７８】
また、本発明に係る省電力電源制御装置は、上述した複写機、ファクシミリ機、複合機等の画像形成装置Ｂの他、種々の電子機器例えばコンピュータ（パソコン）、携帯電話機その他広く実施可能である。
【符号の説明】
【００７９】
１  省電力制御部
３  操作パネル部
５  操作パネルコントロール部
７  第１の検出部
９  第２の検出部
９ａ  バッファ（第２の検出部）
９ｂ  ＮＡＮＤゲート（第２の検出部）
１１  表示操作部
１１ａ  選択キー（操作キー）
１１ｂ  テンキー（操作キー）
１１ｃ  スタートキー（操作キー）
１１ｄ  ストップキー（操作キー）
１１ｅ  表示パネル部
１３  主制御部
１５  画像取込部
１７  記憶部
１９  印刷部
２１  電源部
Ａ  省電力電源制御装置
Ｂ  画像形成装置
Ｄ１  ダイオード
Ｄ２  発光ダイオード
Ｌ１  スリープ操作用ライン
Ｌ２  キー検出ライン
Ｌ３  ＬＥＤライン
Ｌ４  スキャンライン
Ｑ  トランジスタ
ＳＷ１  スリープキー
ＳＷ２  操作キー
Ｒ１、Ｒ２、Ｒ３、Ｒ４、Ｒ５、Ｒ６  抵抗
【図１】
0005546411.tif 000002
【図２】
0005546411.tif 000003
【図３】
0005546411.tif 000004
【図４】
0005546411.tif 000005